【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
回転可能な複数の像担持体に形成される画像を、前記複数の像担持体にそれぞれ対応する転写位置で所定の転写体に転写する画像形成装置であって、
前記複数の像担持体に形成されている各画像を前記転写体上で重ね合わせ状態に転写するとき、前記像担持体上の露光位置に形成された前記画像が転写位置に到達するまでの到達時間を、前記複数の像担持体間で一定とするように前記像担持体の回転速度を制御する回転速度制御手段を備えたことを特徴とする画像形成装置。
【請求項２】
前記回転速度制御手段は、前記複数の像担持体に含まれる一の像担持体の回転速度が固定となるように制御し、
他の像担持体の到達時間が前記一の像担持体の到達時間と等しくなるように、前記他の像担持体の回転速度を制御することを特徴とする請求項１記載の画像形成装置。
【請求項３】
前記回転速度制御手段は、前記像担持体上の露光位置に形成された前記画像が転写位置に到達するまでの到達時間を、前記複数の像担持体間で一定とするように前記像担持体の回転速度に前記像担持体間で速度差を付けることを特徴とする請求項１記載の画像形成装置。
【請求項４】
前記像担持体上の露光位置に形成された前記画像が転写位置に到達するまでの到達時間は、前記像担持体上の露光位置から前記転写位置までの角度を、前記像担持体の角速度で除算した値であることを特徴とする請求項２又は３記載の画像形成装置。
【請求項５】
前記回転速度制御手段は、前記一の像担持体上の露光位置から前記転写位置までの角度θ０を前記像担持体の角速度ω０で除算した値である到達時間ｔ０と、前記他の像担持体上の露光位置から前記転写位置までの角度θを前記像担持体の角速度ωで除算した値である到達時間ｔとが等しくなるように、前記他の像担持体の回転速度を制御することを特徴とする請求項４記載の画像形成装置。
【請求項６】
前記回転速度制御手段は、
前記複数の像担持体を回転駆動させる複数の駆動源と、
前記駆動源による前記像担持体の回転速度を制御する複数の駆動源制御手段と、
前記像担持体上の露光位置に形成された前記画像が転写位置に到達するまでの到達時間を、前記複数の像担持体間で一定とするように前記複数の駆動源制御手段に前記複数の像担持体の回転速度を通知する画像形成装置制御手段とを備えたことを特徴とする請求項５記載の画像形成装置。
【請求項７】
前記画像形成装置制御手段は、前記複数の像担持体の回転速度を制御する為の値として前記複数の像担持体の角速度及びクロック周波数の少なくとも一方を格納している格納手段を有していることを特徴とする請求項６記載の画像形成装置。
【請求項８】
前記画像形成装置制御手段は、前記複数の像担持体の回転速度を制御する為の値を、クロック周波数で前記駆動源制御手段に通知することを特徴とする請求項７記載の画像形成装置。
【請求項９】
前記画像形成装置制御手段は、前記複数の像担持体の回転速度を制御する為の値を、複数のデータビットで前記駆動源制御手段に通知することを特徴とする請求項７記載の画像形成装置。
【請求項１０】
前記画像形成装置制御手段は、前記複数の像担持体の回転速度を制御する為の値を、シリアルデータで前記駆動源制御手段に通知することを特徴とする請求項７記載の画像形成装置。
【請求項１１】
前記回転速度制御手段は、電源投入時、処理が所定量以上となったとき、動作環境が所定条件と合致したとき、前記像担持体上の露光位置に形成された前記画像が転写位置に到達するまでの到達時間を、前記複数の像担持体間で一定とするように前記像担持体の回転速度を設定することを特徴とする請求項１乃至１０何れか一項記載の画像形成装置。
【請求項１２】
前記転写体は、転写ベルト，転写ローラ又は転写紙の何れかであることを特徴とする請求項１乃至１１何れか一項記載の画像形成装置。
【請求項１３】
回転可能な複数の像担持体に形成される画像を、前記複数の像担持体にそれぞれ対応する転写位置で所定の転写体に転写する画像形成装置であって、
レーザ書込部による書き込みレーザの画像レジスト位置を制御する画像レジスト位置制御手段と、
前記複数の像担持体に形成されている各画像を前記転写体上で重ね合わせ状態に転写するとき、前記像担持体上の露光位置に形成された前記画像が転写位置に到達するまでの到達時間を、前記複数の像担持体間で一定とするように前記像担持体の回転速度を制御する回転速度制御手段とを備え、
前記レーザ書込部による画像レジスト位置補正と、前記像担持体の回転速度を変更することによる画像レジスト位置補正との両方を用いて画像のずれを補正することを特徴とする画像形成装置。
【請求項１４】
前記画像レジスト位置制御手段は前記レーザ書込部による画像レジスト位置補正により画像のずれを１ドット単位で補正し、
前記回転速度制御手段は前記像担持体の回転速度を変更することにより画像のずれを１ドット以内で補正することを特徴とする請求項１３記載の画像形成装置。
【請求項１５】
前記回転速度制御手段は前記複数の駆動源による前記像担持体の回転速度を変更することにより画像のずれを１ドット以内で補正することを特徴とする請求項１乃至１２何れか一項記載の画像形成装置。
【請求項１６】
回転可能な複数の像担持体に形成される画像を、前記複数の像担持体にそれぞれ対応する転写位置で所定の転写体に転写する画像形成装置の画像転写方法であって、
前記複数の像担持体上の露光位置に形成された前記画像が転写位置に到達するまでの到達時間を、前記複数の像担持体間で一定とする前記像担持体の回転速度情報を取得するステップと、
前記回転速度情報に応じて前記複数の像担持体の回転速度を制御するステップと
を有することを特徴とする画像転写方法。
【請求項１７】
前記像担持体の回転速度情報は、前記複数の像担持体に含まれる一の像担持体の回転速度が固定であることを表すと共に、他の像担持体の到達時間が前記一の像担持体の到達時間と等しくなる前記他の像担持体の回転速度を表すことを特徴とする請求項１６記載の画像転写方法。
【請求項１８】
前記像担持体の回転速度情報は、前記複数の像担持体上の露光位置に形成された前記画像が転写位置に到達するまでの到達時間を、前記複数の像担持体間で一定とする前記像担持体間の回転速度の速度差を表すことを特徴とする請求項１６記載の画像転写方法。
【請求項１９】
前記複数の像担持体上の露光位置に形成された前記画像が転写位置に到達するまでの到達時間を、前記複数の像担持体間で一定とする前記像担持体の回転速度を算出し、前記回転速度情報として格納手段に格納するステップを更に有することを特徴とする請求項１６記載の画像転写方法。
【請求項２０】
前記転写体は、転写ベルト，転写ローラ又は転写紙の何れかであることを特徴とする請求項１６乃至１９何れか一項記載の画像転写方法。
【請求項２１】
回転可能な複数の像担持体に形成される画像を、前記複数の像担持体にそれぞれ対応する転写位置で所定の転写体に転写する画像形成装置の画像転写方法であって、
レーザ書込部による書き込みレーザの画像レジスト位置を制御する画像レジスト位置制御ステップと、
前記複数の像担持体に形成されている各画像を前記転写体上で重ね合わせ状態に転写するとき、前記像担持体上の露光位置に形成された前記画像が転写位置に到達するまでの到達時間を、前記複数の像担持体間で一定とするように前記像担持体の回転速度を制御する回転速度制御ステップとを備え、
前記レーザ書込部による画像レジスト位置補正と、前記像担持体の回転速度を変更することによる画像レジスト位置補正との両方を用いて画像のずれを補正することを特徴とする画像転写方法。
【請求項２２】
前記画像レジスト位置制御ステップは前記レーザ書込部による画像レジスト位置補正により画像のずれを１ドット単位で補正し、
前記回転速度制御ステップは前記像担持体の回転速度を変更することにより画像のずれを１ドット以内で補正することを特徴とする請求項２１記載の画像転写方法。
【請求項２３】
前記回転速度情報に応じて前記複数の像担持体の回転速度を制御するステップは、前記複数の駆動源による前記像担持体の回転速度を変更することにより画像のずれを１ドット以内で補正することを特徴とする請求項１６乃至２０何れか一項記載の画像転写方法。